(57)【要約】【解決手段】モータ駆動のバリアー用の多機能壁取り付けステーションを利用するオペレータシステムはいろいろな位置の間でのバリアーの移動を制御するオペレータを有する。オペレータは、無線または有線の壁取り付けステーション送信機、無線キーレス入力装置および／または携帯の遠隔送信機からの信号を受信する。多機能の壁取り付けステーションは、壁取り付けステーションの日々の動作で一般的に使用されないスイッチまたはボタンを選択的に隠すことができる。壁取り付けステーションは、ユーザーがバリアーの昇降を開始するために枢着されたカバーを容易に押すことができるように周期的に点灯する要素を有する。多機能の壁取り付けステーションは動作モードを選択することができる。
2007523273.tif 000002
【特許請求の範囲】
【請求項１】
バリアーを移動するオペレータシステムであって、
開放位置と閉鎖位置との間でバリアーを移動させるモータと、
該モータの動作を制御するためのオペレータと、
動作信号を前記オペレータに送るための壁取り付けステーション送信機を有する壁取り付けステーションと、
を有し、
前記壁取り付けステーションは適切な方向にバリアーを移動させるために前記モータを作動させる開閉スイッチを有し、
前記壁取り付けステーションは手動閉鎖／自動閉鎖選択スイッチを有し、
自動閉鎖モードが選択されると、前記オペレータは、バリアーが所定時間開いているときのバリアーを自動的に閉じる、ことを特徴とするオペエータシステム。
【請求項２】
前記壁取り付けステーションが、
前記開閉スイッチおよび前記選択スイッチを支承するパネルと、
該パネルに関して位置づけ可能なカバーと、
を含み、
前記カバーが第一の位置にあるときは、前記カバーは前記スイッチの操作を可能にし、前記カバーが第二の位置にあるときは、前記カバーは前記スイッチを隠すが、前記開閉選択スイッチの作動を可能にする、請求項１に記載のオペレータシステム。
【請求項３】
前記カバーが、
外側面、
該外側面の反対側の内側面と、
前記内側面から伸長し、前記カバーが前記第二の位置にあるとき前記閉鎖スイッチに隣接位置するノブと、
を含み、
前記第二の位置に移動可能なカバーは前記ノブでもって前記開閉スイッチを作動させることができる、請求項２に記載のオペレータシステム。
【請求項４】
前記外側面が前記ノブの反対側に触覚で識別できる面をもつ、請求項３に記載のオペレータシステム。
【請求項５】
動作信号を前記オペレータに送り、バリアーを適切な方向に移動させることができるキーレス入力送信機をさらに有し、
前記オペレータは、前記キーレス入力送信機に関連しているとき、前記自動閉鎖モードのみを実行することができる、請求項１に記載のオペレータシステム。
【請求項６】
動作信号を前記オペレータに送り、バリアーを適切な方向に移動させることができる少なくとも一つの外部送信機をさらに有し、
前記オペレータは、前記少なくとも一つの外部送信機が開放命令を始めるとき前記自動開閉モードのみを実行することができる、請求項１に記載のオペレータシステム。
【請求項７】
前記少なくとも一つの外部送信機が、キーレス入力送信機と携帯遠隔送信機とからなるグループから選択される、請求項６に記載のオペレータ。
【請求項８】
前記所定の時間が調節可能で、前記壁取り付けステーション送信機が送受信機としても機能する、請求項１に記載のオペレータ。
【請求項９】
バリアーを移動するオペレータシステムであって、
開放位置と閉鎖位置との間でバリアーを移動させるモータと、
該モータの動作を制御するためのオペレータと、
動作信号を前記オペレータに送るための壁取り付けステーション送信機を有する壁取り付けステーションと、
を有し、
前記壁取り付けステーションは適切な方向にバリアーを移動させるために前記モータを作動させる開閉スイッチを有し、
前記壁取り付けステーションは手動閉鎖／自動閉鎖選択スイッチを有し、
阻止モードで、前記壁取り付けステーション以外の信号源からの動作信号を前記オペレータが受信することを阻止する、自動閉鎖・阻止選択スイッチを有する、ことを特徴とするオペエータシステム。
【請求項１０】
前記阻止選択スイッチが手動閉鎖および自動閉鎖の付加的なモードをもち、前記自動閉鎖モードが選択されると、前記オペレータは所定の経過時間バリアーが開いていると、自動でバリアーを閉じる、請求項９に記載のオペレータシステム。
【請求項１１】
壁取り付けステーションが、
前記開閉スイッチおよび前記選択スイッチを支承するパネルと、
該パネルに関して位置づけ可能なカバーと、
を含み、
前記カバーが第一の位置にあるときは、前記カバーは前記スイッチの操作を可能にし、前記カバーが第二の位置にあるときは、前記カバーは前記スイッチを隠すが、前記開閉選択スイッチの作動を可能にする、請求項１０に記載のオペレータシステム。
【請求項１２】
バリアーを移動するオペレータシステムであって、
開放位置と閉鎖位置との間でバリアーを移動させるモータと、
該モータの動作を制御するためのオペレータと、
動作信号を前記オペレータに送るための壁取り付けステーションを有する無線壁取り付けステーションと、
前記無線壁取り付けステーションを内側から照らす光源と、
を有し、
前記無線壁取り付けステーションは適切な方向にバリアーを移動させるために前記モータを作動させる開閉スイッチを有する、ことを特徴とするオペエータシステム。
【請求項１３】
前記無線壁壁取り付けステーションが前記開閉スイッチおよび前記光源を支承するパネルをさらに含む、請求項１２に記載のオペレータシステム。
【請求項１４】
前記無線壁取り付けステーションが該パネルに関して位置づけ可能なカバーをさらにを含み、
前記カバーが第一の位置にあるときは、前記カバーは前記スイッチの操作を可能にし、前記カバーが第二の位置にあるときは、前記カバーは前記スイッチを隠すが、前記開閉選択スイッチの作動を可能にする、請求項１３に記載のオペレータシステム。
【請求項１５】
前記カバーが、前記光源から光伝送を可能にする光伝送特性を有する、請求項１４に記載のオペレータシステム。
【請求項１６】
前記カバーが、
外側面、
該外側面の反対側の内側面と、
前記内側面から伸長し、前記カバーが前記第二の位置にあるとき前記閉鎖スイッチに隣接位置するノブと、
を含み、
前記第二の位置に移動可能なカバーは前記ノブでもって前記開閉スイッチを作動させることができる、請求項１５に記載のオペレータシステム。
【請求項１７】
前記外側面が前記ノブの反対側に触覚で識別できる面をもつ、請求項１６に記載のオペレータシステム。
【請求項１８】
前記内側面はさらに、前記内側面から伸長し、前記カバーが前記第二の位置にあるとき前記光源に隣接するディフューザを有する、請求項１６に記載のオペレータシステム。
【請求項１９】
前記パネルが、凹んだパネルおよび露出パネルを有し、
前記凹んだパネルは、前記カバーが前記第二の位置にあるとき、前記カバーにより覆われ、前記露出パネルは他の操作スイッチを支承する、請求項１４に記載のオペレータシステム。
【請求項２０】
前記カバーが前記パネルの縁に枢着される、請求項１４に記載のオペレータシステム。
【請求項２１】
前記オペレータにより制御される光と、
前記壁取り付けステーションの頂部に支承される光スイッチと、
をさらに含む、請求項２０に記載のオペレータシステム。
【請求項２２】
前記光スイッチが二つの方向の一方に力を作用させることで作動する、請求項２１に記載のオペレータシステム。
【請求項２３】
前記光が、前記自動閉鎖モードが休止しているときに発する、請求項２１に記載のオペレータシステム。
【請求項２４】
バリアーを移動するオペレータシステムであって、
開放位置と閉鎖位置との間でバリアーを移動させるモータと、
該モータの動作を制御するためのオペレータと、
動作信号を前記オペレータに送るための壁取り付けステーション送信機を有し、適切な方向にバリアーを移動させるように前記モータを作動させる開閉スイッチを有する壁取り付けステーションと、
を有し、
前記壁取り付けステーションは、前記壁取り付けステーション送信機以外の信号源からの動作信号を、オペレータが受信することを阻止する阻止選択スイッチも有し、
前記壁取り付けステーションは、前記開閉スイッチおよび選択式スイッチを支承するパネル、および該パネルに関して位置づけ可能なカバーを有し、
前記カバーが第一の位置にあるときは、前記カバーは前記スイッチの操作を可能にし、前記カバーが第二の位置にあるときは、前記カバーは前記スイッチを隠すが、前記開閉選択スイッチの作動を可能にする、ことを特徴とするオペレータシステム。
【請求項２５】
前記オペレータにより制御される光と、
前記壁取り付けステーションにより支承される光スイッチと、
をさらに含み、前記光スイッチは二つの方向のうちの一つの方向に力を作用させることにより作動させることができる、請求項２４に記載のオペレータシステム。
【請求項２６】
前記カバーが、
外側面、
該外側面の反対側の内側面と、
前記内側面から伸長し、前記カバーが前記第二の位置にあるとき前記閉鎖スイッチに隣接位置するノブと、
を含み、
前記第二の位置に移動可能なカバーは前記ノブでもって前記開閉スイッチを作動させることができる、請求項２５に記載のオペレータシステム。
【請求項２７】
前記外側面が前記ノブの反対側に触覚で識別できる面をもつ、請求項２６に記載のオペレータシステム。
【請求項２８】
バリアーを移動するオペレータシステムであって、
開放位置と閉鎖位置との間でバリアーを移動させるモータと、
該モータの動作を制御するためのオペレータと、
動作信号を前記オペレータに送るための壁取り付けステーション送信機を有する壁取り付けステーションと、
を有し、
前記壁取り付けステーションは適切な方向にバリアーを移動させるために前記モータを作動させる開閉スイッチを有し、
前記オペレータは、前記壁取り付けステーション送信機およびプログラムされた送信機からの動作信号を受信することができ、
前記壁取り付けステーションは手動閉鎖／自動閉鎖選択スイッチを有し、
手動閉鎖モードが選択されると、前記オペレータは、前記壁取り付けステーションおよび前記プログラムされた送信機の一つからのドア閉鎖信号を受信するときのみドアを閉じ、
自動閉鎖モードが選択されると、前記オペレータは、所定の時間の間バリアーが開いているとバリアーを自動的に閉じ、
前記阻止モードが選択されると、前記オペレータは、前記壁取り付けステーション送信機以外の信号源からの動作信号を受信することを阻止される、ことを特徴とするオペレータシステム。
【請求項２９】
前記壁取り付けステーションは、
前記開閉スイッチおよび前記選択スイッチを支承するパネルと、
該パネルに関して位置づけ可能なカバーと、
を含み、
前記カバーが第一の位置にあるときは、前記カバーは前記スイッチの操作を可能にし、前記カバーが第二の位置にあるときは、前記カバーは前記スイッチを隠すが、前記開閉選択スイッチの作動を可能にする、請求項２８に記載のオペレータシステム。
【請求項３０】
前記カバーが、
外側面、
該外側面の反対側の内側面と、
前記内側面から伸長し、前記カバーが前記第二の位置にあるとき前記閉鎖スイッチに隣接位置するノブと、
を含み、
前記第二の位置に移動可能なカバーは前記ノブでもって前記開閉スイッチを作動させることができる、請求項２９に記載のオペレータシステム。
【請求項３１】
前記外側面が前記ノブの反対側に触覚で識別できる面をもつ、請求項３０に記載のオペレータシステム。
【請求項３２】
前記オペレータが、オペレータがバリアーを自動的に閉じる直前に、警報信号を生成する、請求項２８に記載のオペレータシステム。
【請求項３３】
前記オペレータは、前記動作信号の一つが、前記警報信号の一つの間に、前記バリアーが閉じかけている間に、前記バリアーが休止している間に、受信されない限り、前記警報信号が終了した後、バリアーを徐々に閉じる、請求項３２に記載のオペレータシステム。
【請求項３４】
前記オペレータが光検出器または動作信号を生成する手段をさらに含む、請求項３３に記載のオペレータシステム。
【請求項３５】
前記オペレータが、前記バリアーが徐々に閉じかけた後オペレータが自動でバリアーを閉じる前に第二の警報信号を生成する、請求項３３に記載のオペレータシステム。
【請求項３６】
前記オペレータは、前記動作信号の一つが、前記警報信号の一つの間に、前記バリアーが閉じかけている間に、前記バリアーが休止している間に、受信されない限り、前記警報信号が終了した後、バリアーを徐々に閉じる、請求項３５に記載のオペレータシステム。
【請求項３７】
前記オペレータは、オペレータがバリアーを徐々に閉じる直前に警報信号を生成し、バリアーが完全に閉じるまで前記オペレータは前記警報信号の生成を繰り返し、バリアーを徐々に閉じる、請求項２６に記載のオペレータシステム。
【請求項３８】
バリアーは、前記動作信号の一つが、前記警報信号の一つの間に、前記バリアーが閉じかけている間に、前記バリアーが休止している間に受信されると、開放位置へと戻される、請求項３５に記載のオペレータシステム。
【請求項３９】
モータ駆動のバリアーを移動するオペレータに信号を送る壁取り付けステーションであって、
パネルと、
前記パネルに支承される開閉スイッチと、
前記パネルに支承される少なくとも一つの他の機能スイッチと、
前記パネルに関して位置づけ可能なカバーと、
を含み、
前記開閉スイッチが作動さると、オペエータは適切な方向にバリアーを移動することができ、
前記他の機能スイッチが作動すると、オペレータは対応した機能を実行することができ、
前記カバーが第一の位置にあるときは、前記カバーは前記スイッチの操作を可能にし、前記カバーが第二の位置にあるときは、前記カバーは前記スイッチを隠すが、前記開閉選択スイッチの作動を可能にする、ことを特徴とするオペレータシステム。
【請求項４０】
前記カバーが、
外側面、
該外側面の反対側の内側面と、
前記内側面から伸長し、前記カバーが前記第二の位置にあるとき前記閉鎖スイッチに隣接位置するノブと、
を含み、
前記第二の位置に移動可能なカバーは前記ノブでもって前記開閉スイッチを作動させることができる、請求項３９に記載のオペレータシステム。
【請求項４１】
前記外側面が前記ノブの反対側に触覚で識別できる面をもつ、請求項４０に記載のオペレータシステム。
【請求項４２】
前記パネルから発する光源をさらに有する、請求項３９に記載のオペレータシステム。
【請求項４３】
前記カバーが、前記光源の光伝送を可能にする光伝送特性をもつ、請求項４２に記載のオペレータシステム。
【請求項４４】
前記カバーが、
外側面、
該外側面の反対側の内側面と、
前記内側面から伸長し、前記カバーが前記第二の位置にあるとき前記閉鎖スイッチに隣接位置するノブと、
を含み、
前記第二の位置に移動可能なカバーは前記ノブでもって前記開閉スイッチを作動させることができる、請求項４３に記載のオペレータシステム。
【請求項４５】
前記内側面はさらに、前記内側面から伸長し、前記カバーが前記第二の位置にあるとき前記光源に隣接するディフューザを有する、請求項４４に記載のオペレータシステム。
【請求項４６】
バリアーの移動を制御するオペレータに動作信号を送る壁取り付けステーション送信機であって、
バッテリー区画を有するハウジングと、
前記バッテリー区画を着脱自在に囲むバッテリーカバーと、
を有し、
前記ハウジングは、前記バッテリー区画の一端にある張り出し部と、前記バッテリー区画の一端とは反対側の端部にある稜線部とを有し、前記張り出し部は溝とそれに隣接したノブを有し、前記稜線部はノッチを有し、
前記カバーは、一端にキャッチを、一端とは反対側の端部にラッチを有し、前記ラッチは前記ノッチ内に受け入れられ、前記キャッチは前記溝により着脱自在に受け入れられる、ことを特徴とする壁取り付けステーション送信機。
【請求項４７】
前記キャッチが、
ピボット点を有するＵ字形部材と、
前記ピボット点から伸長したレバーアームと、
該レバーアームから伸長する保持部と、
前記レバーアームから伸長するフィンガーと、
を有し、前記フィンガーおよび前記保持部はそれらの間にスロットを形成する、請求項４６に記載の壁取り付けステーション送信機。
【請求項４８】
前記保持部が前記溝に受け入れ可能で、前記ノブが前記スロットに受け入れ可能である、請求項４７に記載の壁取り付けステーション送信機。
【請求項４９】
前記フィンガーへの力の作用は、前記ピボット点に関し前記レバーアームを移動させ、前記溝から前記保持器を外し、前記スロットから前記ノブを外す、請求項４８に記載の壁取り付けステーション送信機。
【請求項５０】
前記ハウジングが前記キャッチを受け入れるヒンジ空洞を有し、前記保持部が、前記キャッチを前記ヒンジ空洞に挿入したとき、前記ノブにより曲げられるランプ表面を有する、請求項４９に記載の壁取り付けステーション置送信機。
【発明の詳細な説明】
【技術分野】
【０００１】
本発明は、一般的に、固定部材に対して可動な閉鎖部材に使用するガレージドアオペレータシステムに関する。特に、本発明は、閉鎖位置と開放位置との間でゲートまたはドアのような可動なバリアーの操作を制御する壁面取り付け送信機に関する。さらに、本発明は、ドアまたはゲートオペレータ（操作機）用の有線または無線の壁面取り付け送信機に関する。ここで壁面取り付け送信機は、選択して隠すことができる複数のボタンまたはタッチパッドキーをもち、ボタンを押圧すると、操作システムが対応して作動する。特に、所定の時間後に、可動なバイラを自動的に閉じる自動閉鎖機能がある。
【背景技術】
【０００２】
周知のとおり、ガレージのドアまたはゲートはある領域への選択的な出入りのためにその領域を閉じるものである。ガレージドアは、自重とドアの開閉の不便さから、モータがドアに連結されている。このモータの制御は、有線ブッシュボタン（起動すると、信号がオペレータ制御器に送られ、モータを始動させ、ドアを一方向で制限位置に達するまで移動させるものである）により実施される。ドアが停止し、ボタンが再度押圧されると、モータは反対方向にドアを移動させる。ガレージドアは、障害物があるとドアの進行を停止し、反転させる安全性を備えている。光電セルやセンサーなどの他の安全機器が、ドアの進行経路に障害物があることを検出し、正しい動作を行うようにオペレータに信号を送る。遠隔制御装置もまた、車から出ることなくドアを容易に開閉するために備えられてもよいものである。従来技術はまた、次のとおりガレージドアの開閉の便をよくするために種々の特徴を開示している。
【発明の開示】
【発明が解決しようとする課題】
【０００３】
特許文献１（Estes, III等による）は、手動スイッチおよび負荷スイッチからの信号により制御されるように、ガレージドアの開扉のために連結されるドアオペレータモータ用のシーケンス制御回路を開示する。シーケンス制御回路は、６秒から８秒のオーダーの第一時間間隔をもつ時間手段を含む。このことにより、人が約６秒から８秒の間プッシュボタンスイッチを押圧し続けると、厚いドアは、過負荷スイッチがモータを停止することになるモータのトルクの高い状況を作り出す雪の吹きだまりに対して開くことができる。ドアオペレータのモータが負荷スイッチからの信号に応答するように、この時間よりも長い期間、プッシュボタンからの一定の信号を無効にするために、この期間モータを有効にする有効手段が備えられている。シーケンス制御回路はまた、フィードバックループに出力を戻すラッチ回路（ラッチ回路瞬間的な入力制御信号でラッチ動作をする）を含む。このことにより、モータが加速して負荷を通常の動作条件へと進み、閉じたリミットスイッチまたは閉じたトルクスイッチをこの加速の間に開く時間を見越すことができる。
【特許文献１】米国特許第４１１９８９６号明細書
【０００４】
特許文献２（Mercierによる）は、ラジオ受信機およびプッシュボタン（それぞれはラッチ継電器を付勢する開閉装置を作動するパルスを開始することができる）を含むガレージドア開放機を開示する。ラッチ継電器の操作は、ドアを開閉位置へと移動させる可逆モータの適当な巻き線に付勢回路をつなぐことである。検知回路が、ドアが移動経路の障害物と接したときモータの回転方向を変えるためにラッチ継電器の反転を行う。足踏みスイッチがまた、確実に障害物を検知し、駆動モータ尾を反転するために備えられる。送信機が、送信機のブッシュボタンがどれほど長く押圧されるかどうかにかかわらず、システムの動作信号の持続時間を制限するためにインパルス回路を備える。
【特許文献２】米国特許第４２４７８０６号明細書
【０００５】
特許文献３（Barreto-Mercadeによる）は、在来の自動車ドアおよびトランクロックを廃止し、二つのコード信号でコード化される、ＶＨＦラジオ送信により遠隔的に制御される電力式ロックを備えるシステムを開示する。ここで、信号の一つはドアロックをロック状態にするためのもので、他の一つはドアまたはトランクをロック状態を解除するもので、トランクをロック状態を解除することは、トランクトランスファー・プッシュボタンスイッチを作動させた場合にのみ稼働する。ロック状態を解除するコードはまた、エンジンスターターモータ、ボンネット、および電力式ドア操作モータの手動スイッチに電力を与える。自動車のドアのロックおよびロックの解除のため、同じ自動車のトランクおよびボンネット、自動車の外側の全てのロックの解除のための本発明により提供されるシステムは、外部からキーにより操作される装置、内部のプッシュボタンにより制御される装置の両方を含む在来のドアロック機構の除去、在来のキーで操作するトランクの除去、およびドアを外部から操作できる電波制御ロックおよびロック解除システムならびにトランクおよびボンネットのロック解除のシステムの置き換えを可能にする。
【特許文献３】米国特許第４６０７３１２号明細書
【０００６】
特許文献３（Clark等による）は、住居のガレージドアオペレータのような、他の使用者も含めて使用される電波での遠隔制御ドアオペレータを開示する。送信機は二つのボタンを有し、一つは通常のドアの操作のものであり、他の一つはオペレータを“安全”モードにセットするもので、リセットされるまで、さらなる動作コードに応答することがない。さらに、次の高い安全レベルが、オペレータのＡＣ電源を切る休暇スイッチにより得られる。オペレータシステムは、種々のアクセサリー機能を実施するためにプログラムされたマイクロプロセッサを有する。種々のマイクロプロセッサの入力は誤った“安全”レベルと結びつき、その結果アクセサリーのプログラムは起動しているが、結果を出力せず、通常のドア操作に関連したいかなる干渉も形成されない。
【特許文献４】米国特許第４８０８９９５号明細書
【０００７】
特許文献５（Launey等のよる）は、家庭内にある機器や装置、家の外にある装置と多数で種々のタイプのデータ通信を支援する拡張可能な家庭用自動制御器を提供する方法およびシステムを開示する。そのシステムは、マイクロプロセッサに基づいたコンピュータのような中央処理装置に基づき、照明システム、セキュリティーシステム、種々のセンサー、多数の外部ターミナルのような家庭または商業ビル内の種々の機器は装置を制御するため、ならびにタッチスクリーン、音声認識システム、電話、カスタムスイッチ、またはコンピュータシステムに入力信号を与えることができる装置のような種々の手段により命令の入力を行えるように、データバスにより接続される。システムの機能は、ユーザーにより高分解能グラフィックディスプレー、関連したタッチスクリーンのインターフェースを使用して容易に制御することができる。
【特許文献５】米国特許第５０８６３８５号明細書
【０００８】
特許文献６（Will等による）はモータ駆動の窓用シェードの操作を制御する装置を開示し、その装置は窓用シェードを作動する電気モータを駆動する駆動回路、駆動回路の動作を制御する制御回路（制御回路はマイクロプロセッサを有する）を含む。マイクロプロセッサは、窓用のシェードの上下動に対応した第一および第二の方向に、電気モータを駆動することができる第一および第二のスイッチに接続されている。装置はまたプログラムスイッチを有し、ここで制御回路のマイクロプロセッサは、窓用シェードの移動の上限および下限を設定することができるようにプログラムされる。マイクロプロセッサはまた、移動の限度を設定するプログラムでもってプログラムされる。窓用シェードの移動は第一および第二のスイッチの少なくともひとつを使用して所望の上限または下限に調節され、プログラムスイッチは次に作動し、続いて移動の限度を第一のものに設定するために、第一および第二のスイッチが作動する。窓用シェードは、第一および第二のスイッチの少なくとも一つを使用して、第二の移動の制限を所望の位置に調節することができる。プログラムスイッチは再度作動し、第一および第二のスイッチの他方のものは第二の移動の制限を設定するために作動する。
【特許文献６】米国特許第５８４８６３４号明細書
【０００９】
特許文献７（Sollestre等により）は、ユーザが携帯することができ遠隔キーフォブ（fob）または送信機を含む遠隔のキーレス入力システムを開示する。このフォブは例えばドアのロック解除といった必要な機能を実行するために車、およびリクエストを受信しその機能を実行する車中の受信機に向けてコード化された機能の信号を送信することができる。受信機をプログラムするために、システムは、セキュリティーコードが受信機内に常に記憶されている送信機を使用してプログラミングモードにセットされる。所定の時間の間、送信機にある特別なボタンを押圧することによりこのプログラミングモードになる。プログラミングモードでは、前のすべてのセキュリティーモードが消去され、送信機の他のボタンを押圧することにより、受信機で新規の送信コードがプログラムされる。受信機は新規なセキュリティーコードが利用可能となったことを使用者に知らせるために、チャイムを鳴らす。
【特許文献７】米国特許第５８６４２９７号明細書
【００１０】
特許文献８（Muller等による）は、ドア／ゲートをいろいろな位置に間で移動させることを制御するためのオペレータを含む、モータ駆動のドア／ゲートオペレータのための多機能壁取り付けステーションを使用して無線操作システムを開示する。システムは、受信機と信号を受信機に送信する壁掛け式送信機を有するオペレータを含む。その信号は、個々のオペレータ機能、ならびにドア／ゲートの開閉を開始するものである。遠隔送信機が受信機により受信される遠隔信号を送ることができ、ここで受信機は壁掛け式の装置の信号と遠隔信号とを区別することができる。壁取り付けステーションは送信機プログラミングボタンを有し、この送信機プログラミングボタンが作動すると、受信機は学習モードになり、続いて遠隔送信機が作動すると、オペレータとともに使用する遠隔送信機が識別される。システムは、光で起動するオペレータおよび壁取り付けステーションに備えられる光起動ボタンを含む。壁取り付けステーションに備えられるペットの高さボタンが、ペットの出入りを可能にすべく、ゲート／ドアの完全に閉じた位置からゲート／ドアの高さを決める。遅延閉鎖ボタンにより、所定の時間後にドア／ゲートが閉じられる。ドア備え付けボタンが作動すると、ドア／ゲートおよび前記オペレートがドア操作の態様を確立するいろいろな作動パラメータを通して順序づけされる。壁取り付けステーションのすべてのボタンは露出しており、それらのいくつかが偶然に作動され得る。キーレス入力送信機および第二の壁取り付けステーションもまたオペレータを制御することができる。
【特許文献８】米国特許第６３２６７５４号明細書
【００１１】
上記の従来システムは、種々の制御要素がいろいろな場所にあることから問題をもつ。いくつかの要素はオペレータにあり、またいくつかの要素は主要な制御ボタンまたは装置にあるか、あるいはそれらか分離している。付加的な装置は誤りや損傷の影響を受けやすく、システムの通常の動作と干渉しかねない。付加的な装置が他の装置の近傍にあると、誤ってボタンを作動させる可能性が高くなる。このことは、一つの位置ですべての機能を与える装置では特にいえることである。実際い、上記システムは、暗闇では使用することが難しく、またユーザの使用を助ける十分な感覚を与えず、ユーザにとって使い良いものではない。また上記システムは、多機能壁取り付けステーションに備わった他の機能に関連して一体となった自動閉鎖の機能を持たない。これら装置は、容易な切断や自動閉鎖機能の時間の調節を行えない。最後に上記システムは、キーレス入力送信機または他の遠隔送信機が操作システムで知らせを受けたときのみ働く自動閉鎖機能を備えていない。要するに、上記可動なバリアーのオペレータシステムは、使用や操作において人間工学的に設計され、効果的な壁取り付け式の完全で一体的な装置を提供していない。
【課題を解決するための手段】
【００１２】
したがって、本発明の目的は開放位置と閉鎖位置との間で移動するドアまたはゲートのための無線送信機を提供することである。ここでドアまたはゲートは、ドアでシールされる固定表面に関して離れるように移動することができるタイプのものである。ドアまたはゲートはドアの移動を制御するモータ駆動のオペレータに連結される。本発明の他の目的は、モータ駆動のオペレータにより始まる開閉機能を含む多機能をもつ無線壁取り付けステーション送信機を提供することである。本発明の他の目的は、バッテリーや他の電力源により電力を受ける無線壁取り付けステーション送信機を提供することである。本発明の他の目的は、ドアまたはゲートの昇降移動、ドアに関連した種々のモードを制御する、モータ駆動のオペレータの通信可能な範囲のどこでも取り付け可能な無線壁取り付けステーション送信機を提供することである。さらに、本発明の他の目的は、壁取り付けステーション送信機から送られる指示を復号するために、モータ駆動のオペレータに接続される受信機を提供することである。さらに、本発明の他の目的は、多機能の支持を扱うことできる受信機を提供することである。
【００１３】
さらに、本発明の他の目的は、複数の機能や特徴を与える複数のスイッチまたはボタンを含むドアまたはゲートオペレータの動作パラメータを制御するラジオ周波数制御の無線壁取り付けステーションを提供することである。壁取り付けステーション送信機は、据え付けの間一連の符号化信号をセットする開始信号を送信し、一連の符号化信号がセットされると、コード化されたセット内の各コード化されたメッセージが個々の機能を指定する。これら機能は、限定的ではないが、モータ駆動の対象物の方向性のある移動、オペレータに関連した光のオンオフ機能、動作プロファイル（セキュリティーなどの制限を定める）の開始、閉鎖の遅延時間の開始、ペットが出入りできる高さまでドアを上昇させること、付加的な遠隔送信機および遠隔キーレス入力パッドの知らせ機能のプログラミングを含む。
【００１４】
さらに、本発明の他の目的は、自動閉鎖モード（自動閉鎖モードでは、バリアーの閉鎖の開始前に、所定期間ドアまたはゲートが開いているようにすること可能にするために、オペレータをセットできまたはユーサーが時間間隔を調節できる。）を含むことができる付加的な機能を提供することである。さらに、他の機能は、壁取り付けステーション送信機が、オペレータシステムにより認識される唯一の送信機であるように、他の全ての無線または遠隔送信機を阻止することができる。さらに、本発明の他の目的は、キーレス送信機がオペレータシステムに知らせたときのみ、自動閉鎖モードを実行することができる機能を提供することである。さらに、本発明の目的は、信号が遠隔送信機またはキーレス送信機から前に受信したときのみ実行される自動閉鎖モードを提供することでる。
【００１５】
さらに、本発明の目的は、壁取り付けステーションが複数のボタンのいくつかがボタンが大切な使用のために隠される複数のボタンを壁取り付けステーションが備えことができるようにすることである。さらに、本発明の他の目的は、送信機の選択されたボタンが、薄暗い環境下でも容易に識別することができるように照らされる壁取り付けステーション送信機を提供することである。さらに、本発明の他の目的は、複数のボタンのいくつかを隠すために使用されるカバーを備えた壁取り付けステーションを提供することであり、ここでカバーは隠されたボタンの少なくとも一つ以上のボタンを作動させることができるように隠し位置に動かすことができるものである。さらに、本発明の他の目的は、ボタンのいくつかを隠すために使用されるカバーが選択的に照らされる壁取り付けステーションを提供することである。また、本発明の他の目的は、壁取り付けステーションのハウジングのバッテリー区画内でバッテリーを覆うための着脱可能なカバーを提供することである。
【００１６】
一般的に、本発明は、バリアーを移動するオペレータシステムであって、開放位置と閉鎖位置との間でバリアーを移動させるモータと、該モータの動作を制御するためのオペレータと、動作信号をオペレータに送るための壁取り付けステーション送信機を有する壁取り付けステーションとを有し、壁取り付けステーションは適切な方向にバリアーを移動させるためにモータを作動させる開閉スイッチを有し、壁取り付けステーションはまた手動閉鎖／自動閉鎖選択スイッチを有し、自動閉鎖モードが選択されると、オペレータは、バリアーが所定時間開いているときのバリアーを自動的に閉じる。
【００１７】
本発明は、バリアーを移動するオペレータシステムであって、開放位置と閉鎖位置との間でバリアーを移動させるモータと、該モータの動作を制御するためのオペレータと、動作信号をオペレータに送るための壁取り付けステーション送信機を有する壁取り付けステーションとを有し、壁取り付けステーションは適切な方向にバリアーを移動させるためにモータを作動させる開閉スイッチを有し、壁取り付けステーションはまた自動閉鎖選択スイッチを有し、阻止モードで、壁取り付けステーション以外の信号源からの動作信号をオペレータが受信することを阻止する、自動閉鎖・阻止選択スイッチを有する。
【００１８】
本発明はまた、バリアーを移動するオペレータシステムであって、開放位置と閉鎖位置との間でバリアーを移動させるモータと、該モータの動作を制御するためのオペレータと、動作信号をオペレータに送るための壁取り付けステーションを有する無線壁取り付けステーションと、無線壁取り付けステーションを中側から照らす光源とを有し、無線壁取り付けステーションは適切な方向にバリアーを移動させるようにモータを作動させる開閉スイッチを有する。
【００１９】
本発明はさらに、バリアーを移動するオペレータシステムであって、開放位置と閉鎖位置との間でバリアーを移動させるモータと、該モータの動作を制御するためのオペレータと、動作信号をオペレータに送るための壁取り付けステーション送信機を有し、適切な方向にバリアーを移動させるようにモータを作動させる開閉スイッチを有する壁取り付けステーションとを有し、壁取り付けステーションは、壁取り付けステーション送信機以外の信号源からの動作信号を、オペレータが受信することを阻止する阻止選択スイッチも有し、壁取り付けステーションはまた、開閉スイッチおよび選択式スイッチを支承するパネル、および該パネルに関して位置づけ可能なカバーを有し、カバーが第一の位置にあるときは、カバーはスイッチの操作を可能にし、カバーが第二の位置にあるときは、カバーはスイッチを隠すが、開閉選択スイッチの作動を可能にする。
【００２０】
本発明はさらに、バリアーを移動するオペレータシステムであって、開放位置と閉鎖位置との間でバリアーを移動させるモータと、該モータの動作を制御するためのオペレータと、動作信号をオペレータに送るための壁取り付けステーション送信機を有する壁取り付けステーションとを有し、壁取り付けステーションは適切な方向にバリアーを移動させるようにモータを作動させる開閉スイッチを有し、オペレータは、壁取り付けステーション送信機およびプログラムされた送信機からの動作信号を受信することができ、壁取り付けステーションは手動閉鎖／自動閉鎖選択スイッチを有し、手動閉鎖モードが選択されると、オペレータは、壁取り付けステーションおよびプログラムされた送信機の一つからのドア閉鎖信号を受信するときのみドアを閉じ、自動閉鎖モードが選択されると、オペレータは、所定の時間の間バリアーが開いているとバリアーを自動的に閉じ、阻止モードが選択されると、オペレータは、壁取り付けステーション送信機以外の信号源からの動作信号を受信することを阻止される。
【００２１】
本発明は、モータ駆動のバリアーを移動するオペレータに信号を送る壁取り付けステーションであって、パネルと、パネルに支承される開閉スイッチと、パネルに支承される少なくとも一つの他の機能スイッチと、パネルに関して位置づけ可能なカバーとを含み、開閉スイッチが作動さると、オペエータは適切な方向にバリアーを移動することができ、他の機能スイッチが作動すると、オペレータは対応した機能を実行することができ、カバーが第一の位置にあるときは、カバーはスイッチの操作を可能にし、カバーが第二の位置にあるときは、カバーはスイッチを隠すが、開閉選択スイッチの作動を可能にする。
【００２２】
本発明はさらに、バリアーの移動を制御するオペレータに動作信号を送る壁取り付けステーション送信機であって、バッテリー区画を有するハウジングと、バッテリー区画を着脱自在に囲むバッテリーカバーとを有し、ハウジングは、バッテリー区画の一端にある張り出し部と、バッテリー区画の一端とは反対側の端部にある稜線部とを有し、張り出し部は溝とそれに隣接したノブを有し、稜線部はノッチを有し、カバーは、一端にキャッチを、一端とは反対側の端部にラッチを有し、ラッチはノッチ内に受け入れられ、キャッチは溝により着脱自在に受け入れられる。
【発明を実施するための最良の形態】
【００２３】
本発明を実施したモータ駆動ドアまたはゲート用の操作システムが図１において一般的に符号１０で示されている。システム１０は広範囲な可動バリアードアまたはゲートに関連して採用できるもので、ここでドアはガレージ、商業ビル、他の構造物、ならびに窓や他の閉鎖部材に使用されるタイプのものであり、直線状であったり、曲線状であったり、また非直線状であったり、全体または部分的であったりもする。このようなバリアーまたは他の部材は一般的に、木、金属、種々のプラスチック、またはこれらの組み合わせのような種々の材料から構成される。種々のタイプのドアまたは他の部材の下端は実質的に矩形であるが、補強部材の配置や他の目的のためにいろいろな形状をとり得る。好適な使用としては、本発明は住居のガレージドアでの利用である。一般的に、本発明のシステム１０は、符号１２により一般的に示された多機能壁取り付けステーションを利用する。多機能壁取り付けステーション１２は典型的に、家の内部からゲートに近づくことができる通常のドアの近傍に配置され、都合のよい高さ、好適には地面（床面）から５フィート（１５０cm強）に位置する。多機能壁取り付けステーション１２は典型的に、高分子材料から作られたハウジングを有し、ここでハウジングの少なくとも一部は、必要なときにハウジング内の作業ができるように取り外し可能である。
【００２４】
多機能壁取り付けステーション１２は、好適に二つの単三乾電池である電源１６を受け入れるバッテリー区画１５（図５によく示されている）を含む。電源は壁内の種々の素子（内容は下述する）に電力を与える。電源は望むならば住居用電源であってもよい。この場合、内部要素に電力が与えられるように適切な変更が必要となる。いずれにせよ、乾電池バッテリーは必要な電源を供給し、多機能壁取り付けステーションはオペエータの通信範囲内のどこでも設置可能で、オペレータまたは他の電源からの直接的な電力を得る必要がなくなる。電源に接続された一つの要素が論理制御器１８で、これは下述する機能を実行するための必要なハードウエア、ソフトウエハおよびメモリーを備える、マイクロプロセッサに基づく回路である。ＬＥＤ２０が論理制御器に接続され、周知の方法で電源１６からの電力を受ける。論理制御器１８に接続される液晶ディスプレー２２または他の低電力ディスプレーが多機能壁取り付けステーション１２および／または操作システム１０の他の要素に関連した操作情報を提供する。
【００２５】
論理制御器１８は種々の信号２６（この信号は、送信機２８により使用され、ラジオ周波数信号（ＲＦ）に変換されアンテナ３０により放射される）を生成する。もちろん、赤外線または超音波のような他の無線のタイプの信号も必要であれば送信機２８により生成される。送信機はまた、液晶ディスプレー２２に操作状況の情報を表示することができるように、送受信機として機能することもできる。ここで使用する用語“送受信機”は無線信号の送信および受信の両方を行う装置である。いずれにせよ、好適な実施例では、多機能壁取り付けステーション１２が無線装置であるが、必要があれば、信号を直接有線により送ってもよい。
【００２６】
多機能壁取り付けステーション１２は符号３６で一般的に示された複数の入力スイッチまたはボタンを含む。これら入力スイッチは作動すると、ユーザーは、操作システムの種々の機能を制御することができる。スイッチ３６はアップダウンスイッチ３８、三路選択スイッチ４０（手動閉鎖、自動閉鎖、およびラジオ周波数阻止のモードを与える）、インストールスイッチ４２、遅延閉鎖スイッチ４６、ペットの高さのスイッチ４８、および点灯／消灯スイッチ５０を含む。アップダウンスイッチ３８はバッテリーをアップ状態からダウン状態またはその逆に移動することが必要な場合作動される。三路スイッチ４０は異なる操作モードを与えることができる。つまり、手動閉鎖モードでは、可動なバリアーの開閉にはユーザーの入力が必要となるため、通常の操作システムとほぼ同様にして操作システム１０を操作することができる。自動閉鎖モードでは、所定の時間の間可動なバリーが全開で、他の条件に適合するときに、可動なバリアーを閉鎖することができる。ラジオ周波数阻止モードは、ユーザーが休暇中で、外部または遠隔送信機により可動なバリアーが操作されることがないようにするためのものである。インストールスイッチ４２は可動なバリアーの他の物理的なパラメータに関して可動なバリアーの作動限度を設定するためのインストールルーティンを提供する。言い換えると、バリーの移動限度および力の加減は、インストールルーティンが動いている間に定められる。遅延閉鎖スイッチ４６は、光電子素子などのようなセキュリティー機能を不用意に作動させることなく、所定の時間内に閉鎖を行う領域からユーザーが出ること可能にする。ペットの高さのスイッチ４８は４インチから１２インチ（１０ｃｍから３０ｃｍ）に最小の開放位置にドアを移動させ、小さなペットの出入りを可能にする。点灯／消灯スイッチ５０は二つの方向に作動し、操作システムと関連して点灯・消灯を行うことができる。
【００２７】
操作システム１０は符号５６により一般的に示されたオペレータを含む。オペレータ５６はＲＦ信号３２または他の送信機に関連した他のタイプの信号を受信するアンテナ５８を有する。いずれにせよ、受信したラジオ周波数信号はラジオ周波数信号を制御器６４により受信されたコード信号６２に変換する送受信機６０に送信する。これに代えて、制御器６４は前述した有線により直接データ信号２６を受信してもよい。制御器６４は操作システムの使用のために必要なハードウエア、ソフトウエアおよびメモリーを備える。制御器６４の操作状況を示すＬＥＤプログラムライト６６が制御器６４に連動する。制御器６４はモータ６８に接続されている。制御器６４は種々の送信機からの命令、連結されたセキュリティー装置からのセキュリティー信号、バリアーの移動を統一するようにモータからの状況信号のような種々の操作信号を受信する。モータはいろいろな駆動機構によりバリアーの移動を制御する。照明７２がバリーにより閉鎖される領域を照らすために制御器６４に接続されてもよい。スピーカー７３もまた制御器に接続され、プログラミング状態またはモードであることを知らせるために使用することができる。送信機プログラムボタン７４は、ここで開示する送信機の一つを制御器に知らせるために、操作システムをプログラムモードにするように作動しなければならないものである。セキュリティーセンサー７５が制御器６４に接続されてもよい。センサー７５は光電セキュリティーセンサー、ドアの縁センサーまたは他のセンサー（過剰な力が作用していること、または一方向または両方向にドアを移動させることでバリアーの移動経路に障害物があることを検知するもの）であってもよい。
【００２８】
オペレータ５６に関連させることができる外部送信機の一つが、符号７６で一般的に示された外部のキーレス送信機である。キーレス送信機７６は必要であれば、オペレータ５６からまたはオペレータ５６へと送受信するアンテナ７８を備える。キーレス送信機７６はユーザーが所定の識別番号を入力できるように、またはバリアーの移動の開始を行うことができるようにキーパッド８０を有する。液晶ディプレー８２が所望であればキーレス送信機に接続されてもよい。いずれにせよ、識別番号の入力が完了すると、ラジオ周波数信号８４が送受信機６０への送信のために、アンテナ７８により送信され、そのアンテナ７８で受信される。
【００２９】
他のタイプの外部送信機が符号９０で一般的に示された遠隔送信機である。遠隔送信機９０は送受信機６０により受信されるラジオ周波数信号９４を発するアンテナ９２を備える。遠隔送信機９０は適切なラジオ周波数信号を生成するためにそれ自身に制御器を含むでもよいことは分かるであろう。固定コードまたは周期的に変化するコードが操作システム５６に対する送信機の通信のために使用されてもよい。遠隔送信機は操作システムに関連した他の機能を独立して制御する複数の機能ボタン９６を有してもよい。特にボタンの一つがドア／ゲートまたはバリアーの制御を単独で行うものであり、他のボタンが操作システムまたは他の関係した機能と関連する照明７２を独立で制御するものであってもよい。
【００３０】
図２ないし図５には、多機能壁取り付けステーション１２が符号１００により一般的に示されたハウジングを利用することを示している。ハウジング１００（ねじ、テープまたは他の留め具により取り付けることができる）は、壁面に面する背面パネル１０２をもち、オペレータのラジオ周波数が届く範囲の壁に取り付けられる。背面パネル１０２は側面パネル１０４および底面パネル１０６を有する。バッテリーカバー１０８がハウジング１００に連結されるが、好適には側面パネル１０４の反対側に位置する。バッテリーカバー１０８はハウジング１００に着脱自在で、電源１６を保持する。ハウジング１００はまた、パネル１０２の上端に好適に位置する軸線方向に伸長する一対のピン１１０を含んでもよい。三つの部分に区分けすることができる正面パネル１１２がハウジング１００から外に向いている。一つの部分は照明スイッチ５０を有し、ハウジングの上端に位置している。照明スイッチ５０は好適に二つの方向から作動させることができる。言い換えると、使用者がオペレータに関連した照明７２を望むとき、照明スイッチは二つの方向の一つから作動させることができる。照明スイッチは正面パネル１１２に対して下方の力または通常の力で押圧することで作動する。正面パネル１１２はまた、照明スイッチ５０と露出したパネル１１８との間に位置する凹んだパネル１１６を含む。仕切１２０は凹んだパネルと露出したパネルを分離するためのものである。
【００３１】
ヒンジカバー１２４がハウジング１００に取り付けら、ハウジングに対して回転可能となっている。好適な実施例では、ヒンジカバーは半透明または透明の高分子材料から作れている。カバー１２４は、軸ピン１１０で回転可能な、向かい合う一対のカラー１２６を有する。望むならば、カバー１２４が回転して所定の位置で保持され、ユーザーが手でカバー１２４を保持することなく凹んだパネル１１６に接することができるように、カラー１２６はカム動作を行うような形状をもってもよい。カバー１２４は、カバーを閉じるとき、凹んだパネル１１６に面する内側面１２８を備える。力伝達部材として機能する突出ノブ１３０が内側面１２８から突き出ている。また、下述するディフューザ１３２が内側面１２８から突き出ている。カバーを閉じたとき、ヒンジカバー１２４の上部の縁は仕切１２０と整合する。内側面１２８の反対側は外側面１３６となる。外側面１３６には、突出したノブ１３０の位置に対応した部分に押圧部１３８が設けられている。押圧部に代えて、感触で区別することができる面が設けられてもよい。
【００３２】
図４および図５に示されているように、ヒンジカバーを閉じると、照明スイッチ５０、遅延閉鎖スイッチ４６およびペットの高さのスイッチ４８のみが露出する。したがって、凹んだパネル１１６はカバー１２４により覆われる。凹んだパネル１１６にある要素には、アップ／ダウンスイッチ３８、３路選択スイッチ４０、インストールスイッチ４２、必要であれば液晶ディスプレー２２がある。凹んだパネル１１６にまた、多機能壁取り付けステーションを所望の面に取り付けるためのネジや留め具を受け入れることができる取り付け穴１４０がある。凹んだパネル１１６にまた、発光ダイオード２０による発光した光りを伝えるための光パイプ１４２がある。作動中、LED２０は約１秒に一度といった適切なレートで明滅する。ヒンジカバー１３２を閉じると、LEDは光パイプ１４２に捕らえられる光を発する。ディフューザ１３２は、カバーが閉じられ光が外に向かって放射されるときに、光パイプを直接覆うように位置する。したがって、薄暗い場所でも、照明スイッチ５０の作動することができるようにカバーが明るくなり、多機能壁取り付けステーションの位置をユーザーが容易に見つけることができる。ヒンジカバーが閉鎖位置にあると、凹んだパネルにある全てのボタンが覆われ、容易に触ることが出来なくなることは分かるであろう。しかし、押圧部１３８の反対側に突出したノブ１３０を設けることで、ユーザーは、LEDにより発する光でこの押圧部を容易に見つけることができ、押圧部１３８を設けることで、スイッチ３８が作動するようにノブ１３０により力が伝えられる。したがって、ヒンジカバーそれ自身、カバーが閉じたとき開閉／閉鎖ボタンとして機能する。カバーは、閉じられる、押圧されると、他のボタンのどれも作動させることなく、また凹んだパネル１１６にある要素のどれも損傷させることなく、スイッチ３８を完全に作動させることができる。
【００３３】
ヒンジカバーは、LEDがヒンジカバーの表面の全体を照らすことができるように、半透明または透明の材料で作られる。しかし、必要があれば、ユーザーに指示を与えるために、ヒンジカバーの内側面にラベルを配置してもよい。ディフューザ１３２は、ユーザーにより見ることができるようにカバーを通して光パイプからの光の伝達を可能にするようにラベルにより覆われる。
【００３４】
ヒンジカバーが閉じた位置にあるとき、ユーザーは操作システム５６の作動に関連した四つのボタンを操作することができる。特に、ユーザーはハウジングの上面を押圧することにより光スイッチ５０を作動することができる。作動させることができる第二のボタンは、ノブ１３０と係合するようにヒンジカバーを押圧することによりアップダウンするアップ／ダウンスイッチである。他の二つの露出したボタンは遅延閉鎖スイッチ４６およびペットの高さのスイッチ４８である。ヒンジカバー１２４は前記したように凹んだパネルにある他のスイッチを選択的に遮蔽することができる。
【００３５】
三路選択スイッチ４０は使用者により決定される三つの異なるモードのためにある。第一のモードは、デフォルトオプションで、バリアーの開閉を手動で行うためのものである。言い換えるならば、このオプションのモードでは、ユーザーは、アップ／ダウンスイッチ３８の作動、または遠隔送信機９０もしくはオペレータに指示するキーレス送信機７６の作動によりドアを開閉することができる。第二のモードでは、ユーザーは自動閉鎖を選択することができる。このモードでは、ガレージドアまたはバリアーは所定の時間経過後に開放位置から閉じる。このことにより、ユーザーは、ガレージに居た後にダウンボタンを押し忘れた場合、または建物に入った後にガレージが開いたままの場合、所定時間経過後にバリアーにより閉鎖される領域が閉じることについて信頼することができる。好適な実施例で、この態様を完全に実行できるように、スイッチは自動閉鎖モードにあり、この場合、オペレータは照明７２を明滅することにより、または６０秒といった所定の間スピーカー７３から可聴音を流すことで応答する。その間、正しい識別番号をキーパッド７６で入力されなければならない。識別番号が受け入れられると、閉鎖モードであることの確認として、所定の回数照明７２を点滅させて知ることができる。ドアが全開であり、自動閉鎖モードになっていると、照明７２は明滅し、または／さらにスピーカー７３は自動閉鎖タイマーの作動を示すべく、周期的な可聴音を流す。閉鎖モードである間、全ての他のプログラムされた送信機はバリアーの移動を制御するために使用することができる。キーレス送信機をプログラミングすることで、ユーザーはバリアーにより閉じた領域に入ることができる。三路選択スイッチに対する第３のモードは、スイッチにより切り替えることができる他の二つのモードに一つに戻すことを除き全てのオペレータの作動無効とすることである。この場合は“バケーションモード”として参照され、ここでオペエータ操作システム１０は送信機の開放信号に応答しない。言い換えると、バリアーの開放および／または閉鎖する唯一の方法は、三路選択スイッチをデフォルト手動開閉スイッチに、または自動閉鎖位置に戻し、続いて送信機の閉鎖スイッチを作動させ、または多機能壁取り付けステーションにアップ／ダウン命令を実行させることである。プログラムされた送信機、多機能壁取り付けステーション、携帯遠隔またはキーレス入力パッドから受信した開閉信号は制御器６４により無視される。自動閉鎖モードの作動が妨げられるとき、ＬＥＤおよび／または光が発する。
【００３６】
図６において、自動閉鎖を行うための在来のフローチャートが、符号１５０で一般的に示されている。プロセスにおけるいろいろな時間での制御入力には、遠隔制御ユニット、壁取り付け制御ユニット、光検出器、力検出器、他の制御ユニット、障害物検出源の一つ以上からの動作信号が含まれ得る。最初に、工程１５１において、主ループによる制御器サイクルおよびここで実行される工程はその主ループの一部である。工程１５２では、所定の時間、好適実施例では１２０分が経過したかどうかを決定するために、タイマーが調べられる。このタイマーは制御ユニットにより所定の時間にセットされる。所定の時間が経過していないとき、フローチャートは工程１５１に戻る。しかし、１２０分の時間が経過したときは、プロセスは工程１５３に進む。以下の三つの工程が、自動でドアを閉鎖するための移動の開始条件が整っているかを決定するために実行される。第一の工程１５３で、制御器は、ドアが標準的な開放動作の結果正しい位置にあるどうかを決定する。セキュリティーのためにまたは自動的に閉鎖するドアの移動が干渉されことで上昇状態にあるとき、プロセスは、正しく順調なドア開放動作が完了するまで、主プロセス１５１に戻る。理想的には、ドアは、完全に解放状態から自動的に閉まる。第二の工程１５４では、制御器はキーパッド送信機が制御器を作動させるためにプログラムされているかどうかを決定する。もしそうでなければ、プロセスは工程１５１に進みまたは戻る。キーパッド送信機への入力が適切であると、プロセスは、自動閉鎖スイッチが選択され、自動閉鎖スイッチの位置が選択された後妥当なキーパッド送信機の信号が受信されたことを確認するために、第三の工程１５５に留まる。もしそうでなければ、プロセスは工程１５１に戻る。しかし、自動閉鎖モードが、工程１５５で実行されるかどうか決定されるならば、プロセスは第一の警報は開始される工程１５６に進む。
【００３７】
工程１５６において、警報が照明７２のせん光としてなされ、または制御器に接続されているならばスピーカーから連続した警笛としてなされる。約１０秒程度の警報信号期間の間、制御入力信号が工程１５７で受信されると、自動閉鎖工程が終了し、一時的停止になり、ドアは開放位置に戻り、プロセスは工程１５１に戻る。自動閉鎖モードの一時的な停止は正しい開放位置に達することで終了する。いずれにせよ、工程１５９で警報信号の期間が過ぎると、工程１６０で第一のドア下降移動が開始する。このことにより、全開の位置から３ないし６インチ（７．６ないし１１５．２ｃｍ）程度の所定の距離、ドアが下降する。ドアが移動または休止する間に、どのようなタイプの制御入力信号も工程１６０Ａで受信されると、工程１６０Ｂで自動閉鎖工程は終了し、自動閉鎖モードは一時的に終了する。プロセスは工程１６０Ｃで続き、ドアは全開位置に戻り、プロセスは工程１５１に戻る。この位置的な停止は、正常な開放工程が実行されるまで、続く。しかし、工程１６０Ａで、受信されるべきいかなる制御入力信号なしで有力ドアの移動や停止が終了すると、プロセスは工程１６０Ｄに進み、停止または休止を行い、工程１６１で１０秒程度の第二の警報期間を開始する。どのタイプの制御入力信号が、警報期間の間に工程１６２で受信されると、工程１６３で、自動閉鎖工程が終了し、この自動閉鎖モードは一時的に停止する。このプロセスは工程１６４で続き、ドアは全開の位置へと戻り、プロセスは工程１５１に戻る。この一時的な停止は、正常な開放工程が実行されるまで続く。しかし、工程１６５で、どの制御入力信号も受信することなく第二の警報期間が経過すると、プロセス１６６に進み、完全なドア閉鎖工程が実施される。この実施例では、自動閉鎖のセキュリティーによる反転の後で何度か自動閉鎖を行うのである。
【００３８】
前述のプロセスの変形例として、プロセスは（工程１６５から）工程１６７で続き、周期的にドアを移動させるように下降を行わせ、警報を発し、ドアの移動を再開させることは分かるであろう。したがって、ドアは一連のドア移動を実行した後に閉じる。このようなモードは、ドアの下降力が非常に強く、移動がさらなる警報をもたらすといった場合である。
【００３９】
所望なら、制御器６４はユーザーが自動閉鎖機能に関連してタイマーを調節できるようにプログラムすることができる。このことはいろいろな方法で実行でき、模範的な方法は、凹んだパネルでボタンを露出させるように、カバーを開くことである。ユーザーは一つ以上のボタンを保持し、ここで、ディスプレーは自動閉鎖モードに関連した時間についての情報を提供する。閉鎖モードが１５分から２時間という時間間隔に限定されることは分かるであろう。ディスプレーはまた、システムの動作状況を示す。
【００４０】
図７において、制御器により自動的に開始する実施例における動作工程が、符号１７０により一般的に示されている。言い換えるならば、自動閉鎖モードは、“外部送信機”（この実施例では、キーレス送信機または遠隔送信機に該当する）からの開放命令のみによる。たとえば、多機能壁取り付けステーション（送信機）以外の送信機である。工程１７２で、バリアー開放命令が制御器により受信され、ドアが開く。つぎに、工程１７４で、制御器はどのタイプの送信機から開放命令を受信したかを決定する。開放命令が外部送信機から受信しないと、言い換えるならば、開放命令が多機能壁取り付けステーション送信機から受信されると、プロセスは通常の動作を続けるべく工程１７６に進む。しかし、工程１７４で、開放命令がキーレス入力装置または遠隔送信機のような外部送信機から受信されると、プロセスは工程１７８に進み、自動閉鎖タイマーが有効となる。工程１７８で、自動閉鎖タイマーはタイマーが期限切れになっているかどうかについて連続して調べられ、期限が切れているとき、プロセスは、フローチャート１５０において指名された自動閉鎖工程を実行するように、ステップ１８０に進む。プロセスは工程１７６で続行し、制御システムの他のモードとともに進む。
【００４１】
システムの特徴は、ユーザーがキーレス入力装置または遠隔送信機でもってバリアーを再度開けることができないかぎり、ドアが不用意に閉まらないことを確実にすることである。さらに、特定のタイプの外部送信機が制御器ソフトウエアプログラムにおいて特定されることは分かるであろう。好適実施例では、外部送信機のタイプはキーレス入力装置に限定されている。
【００４２】
図４、図５および図８において、バッテリーカバー１０８がハウジング１００に取り外し可能となっていることが示されている。ハウジングは背面パネル１０２を有し、その背面パネルから背ろ張り出し部２００およびパネル張り出し部２０２が伸長している。背面張り出し部２００はハウジングの底部で背面パネル１０２から正面パネル１１２へと伸長する一方で、パネル張り出し部２０２は正面パネルから背面パネルへと伸長する。ハウジングの頂部で背面パネルから正面パネルへと後ろ稜線部２０４が伸長し、正面パネル１１２から背面パネル１０２へとパネルの稜線部２０６が伸長している。後ろ張り出し部２００およびパネル張り出し部２０２が背面パネルから正面パネルへと実質的に連続して続く張り出し部を形成することは分かるであろう。同様に、パネル後ろ稜線部２０４およびパネル稜線部２０６も実質的に連続した張り出し部を形成する。張り出し部２００、２０２、稜線部２０４、２０６、パネル１０２、１１２はバッテリー区画１５を画定する。背面パネルはパネル縁の面２１２をもち、そこから張り出し部２００が伸長する。張り出し部は、パネル縁の面２１２の外側周囲へと部分的に伸長するノブ２１４を含む。溝２１６が、ノブ２１４に隣接し、ヒンジ空洞２１０に向かって内側に位置している。溝２１６はキャッチ面２１８、およびノブ２１４の一部を形成するストップ面２２０を有する。稜線部２０４、２０６はバッテリー区画１５内にノッチ２２２を形成する。
【００４３】
カバー１０８はハウジング１００に着脱自在に取り付けられ、特にヒンジ空洞２１０を含むバッテリー区画１５を覆う。図４および図８に示されているように、バッテリーカバーは、内側表面にそって複数の内側に伸長するリブ２２６を有する壁部２２４を有する。リブ２２６はハウジングに取り付けられたカバー１０８でもって、バッテリー１６を適所に保持する機能をもつ。壁部２２４は底部にキャッチ２２８および頂部にラッチ２３０を有する。ラッチ２３０はリブ２２６と同様に内側で、かつ壁部２２４の頂部から伸長し、ノッチ２２２に受け入れ可能なものである。
【００４４】
キャッチ２２８はピボット点２３６を有するＵ字形部材２３４を含む。レバーアーム２３８がピボット点から伸長し、ランプ表面２４４および角面２４６を有する保持部２４０がそのレバーアームから伸長している。保持部２４０と同じ方向に、フィンガー２５０が伸長し、そのフィンガーは好適に、カバーが取り付けられたときパネル縁の面２１２の背後には伸長しない。保持部２４０とフィンガー２５０との間に、スロット２４８が形成されている。バッテリーカバー１０８が取り付けられると、保持器２４０は溝２１６内にかみ合って受け入れられ、ノブ２１４はスロット２４８内に受け入れられる。さらに、角面２４６はストップ面２２０と隣接位置する一方、ランプ表面２４４はキャッチ面２１８と隣接位置する。
【００４５】
バッテリー１６が区分１５内に配置された後、カバーはラッチ２３０をノッチ２２２に角度を付けるように配置することで取り付けられる。カバー１０８はＵ字形部材２３４がヒンジ空洞２１０内に受け入れられるように内側に回転する。レバーアーム２３８が張り出し部２００、２０２と係合すると、ランプ面２４４はノブ２１４と接する。このとき、レバーアーム２３８は、保持部２４０がノブ２１４を乗り越えるまで、ピボット点２３６で曲げられる。角面２４６がノブ２１４のところを通ると、保持部２４０はキャッチ２３４のバネのような現象で溝２１６に嵌る。同様に、スロット２４８はノブ２１４の所にあり、ここでフィンガー２５０はノブを部分的に取り囲む。
【００４６】
バッテリーカバーを取り除くには、基本的に上記工程の反対を実行すればよい。特に、ユーザーは、爪または他の力伝達部材をフィンガーとノブとの間に挿入し、レバーアームをピボット点で上方向に曲げる。これにより、キャッチ２２８が溝２１６から外れる。キャッチ２２８は、ラッチ２３０が僅かに回転するように動き、カバーはノッチ２２２から外れる。バッテリーカバー（ハウジング１００内に整合する）が、キャッチ機構が二つの嵌合表面をもつことから利点をもつことは分かるであろう。特に、保持部２４０は溝２１６に受け入れられる一方、ノブ２１４はスロット２４８に受け入れられる。したがって、柔軟なキャッチをもつこの構成により、バッテリーカバーを傷つけかねないねじ回しのような工具の必要性なしに、容易にカバーを取り外すことができる。したがって、本構成は、壁取り付けステーションをともに利用される従来のバッテリーカバーについて利点をもつ。
【００４７】
前述のとおり、本発明の利点は明らかである。多機能壁取り付けステーションについて、オペレータが“外部”送信機からのオペレータの全ての操作命令のためのラジオ周波数または他の無線送信信号を受信することを防止する手段が備えられる。三路選択スイッチは自動閉鎖モードを作動または停止する手段をもつ。多機能壁取り付けステーションの照明モードはユーザーが、薄暗い環境でもその装置を見つけやすくすることからユニークなものといえる。本発明の他の利点は、アップ／ダウンボタンが、通常は使用されない他のボタンと誤った押圧を防止できるヒンジカバーと関連していことである。本発明の他の利点は、オペレータ制御ガレージ照明（スイッチの一つが、多機能壁取り付けステーションの頂部にあり、片手を下方に動かすことで作動するものであり、他のスイッチが従前のとおり水平な動きで作動させる、多機能壁取り付けステーションの外側面にある）を二つの異なる動作で作動させることができることができることである。バッテリー駆動の多機能壁取り付けステーションは有線部分を極力なくし、取り付け時間を減少させ無線の多機能壁取り付けステーションの必要性をなくすことである。多機能壁取り付けステーションのハウジングは、ドアの近くで、オペレータと通信できる無線信号の届く範囲のどこでも配置することができる。
【００４８】
本発明はまた、自動閉鎖モードがオペレータ制御システム内で直接与えられることも利点である。閉鎖モードの操作について付加的な要素を必要とせず、自動閉鎖モードの動作が関連する他のモードの耐久性や実効性に関し非常に改良される。遅延機能は必要ならば調節可能であり、自動閉鎖モードは作動停止、中止し、必要であれば手動の遠隔操作とすることができる。
【００４９】
本発明の他の利点は、キーレス入力送信機がガレージドアオペレータに通信することでのみオペレータが作動することである。したがって、ユーザーがガレージや家の外にいて、ガレージが自動的に閉じるという自動閉鎖モードにあるときユーザーは、外部に取り付けられたキーレス入力送信機を使用してガレージのドアを閉じることができる。逆に言えば、キーレス入力送信機がガレージドアのオペレータと通信を行わないと、ドアは自動閉鎖モードにしたがって、自動的に閉じることがない。さらに、本発明の実施例は、ドアが携帯送信機またはキーレス入力キーパットのような遠隔送信機から移動するように命令を受信するときにのみ作動するという利点がある。
【００５０】
本発明の目的は上記構成およびその使用方法により達成することができる。法律、規則にしたがって、本発明の最適な実施例が詳細に説明されているが、本発明はこれに限定されないことは理解されよう。したがって、本発明の範囲は特許請求の範囲に基づく。
【図面の簡単な説明】
【００５１】
【図１】図１は、本発明にしたがったモータ駆動のバリアーオペレータのための動作システムである。
【図２】図２は、本発明を実施した多機能壁取り付けステーションの正面斜視図である。
【図３】図３は、多機能壁取り付けステーションの背面斜視図である。
【図４】図４は、閉鎖位置にあるヒンジカバーをもつ多機能壁取り付けステーションの分解正面拡大図である。
【図５】図５は、バッテリーカバーが取り外された多機能壁取り付けステーションの側面拡大図である。
【図６】図６は、自動閉鎖モードにおける動作工程を示す動作フローチャートである。
【図７】図７は、開放命令が外部送信機から受信したときにのみ自動閉鎖モードが実行される動作フローチャートである。
【図８】図８は、ハウジングの正面パネルが取り外されたバッテリー区画の部分拡大図である。
【図１】
2007523273.tif 000003
【図２】
2007523273.tif 000004
【図３】
2007523273.tif 000005
【図４】
2007523273.tif 000006
【図５】
2007523273.tif 000007
【図６】
2007523273.tif 000008
【図７】
2007523273.tif 000009
【図８】
2007523273.tif 000010
【手続補正書】
【提出日】平成18年10月12日(2006.10.12)
【手続補正１】
【補正対象書類名】図面
【補正対象項目名】全図
【補正方法】変更
【補正の内容】
【図１】
2007523273.tif 000011
【図２】
2007523273.tif 000012
【図３】
2007523273.tif 000013
【図４】
2007523273.tif 000014
【図５】
2007523273.tif 000015
【図６】
2007523273.tif 000016
【図７】
2007523273.tif 000017
【図８】
2007523273.tif 000018
【国際調査報告】
2007523273.tif 000019
2007523273.tif 000020
2007523273.tif 000021
2007523273.tif 000022
2007523273.tif 000023